(57)【特許請求の範囲】
【請求項１】
所定のダミーデータを、周波数領域のＯＦＤＭ信号におけるデータが割り当てられていないサブキャリアに設定し、時間領域のＯＦＤＭ信号のピークを低減するピーク低減回路において、
前記時間領域のＯＦＤＭ信号における１シンボル内の振幅が最大となる時間位置をピーク位置として検出すると共に、当該ピーク位置の前記時間領域のＯＦＤＭ信号をピーク値として検出するピーク検出部と、
前記ピーク検出部により検出された前記ピーク値を低減するための信号であって、前記ピーク検出部により検出された前記ピーク位置と同じ位置に所定のピーク値を有する周波数領域のピーク低減信号を生成するピーク低減信号生成部と、
前記ピーク低減信号生成部により生成された前記周波数領域のピーク低減信号を、所定のスケール値で除算することでスケーリングするスケーリング部と、
前記スケーリング部によりスケーリングされたスケーリング後のピーク低減信号の一部を前記所定のダミーデータとし、当該ダミーデータを、前記周波数領域のＯＦＤＭ信号におけるデータが割り当てられていないサブキャリアに埋め込む埋め込み部と、
前記埋め込み部により前記ダミーデータが埋め込まれた周波数領域のＯＦＤＭ信号にＩＦＦＴ（逆高速フーリエ変換）を施し、前記ピークが低減された時間領域のＯＦＤＭ信号を生成するＩＦＦＴ部と、を備え、
前記ピーク低減信号生成部は、
１シンボルが所定数のポイントからなる場合に、０から２πまでの間を回転する前記ポイント毎の位相データを含むテーブルが格納されたメモリと、
前記メモリに格納されたテーブルの位相データを用いて、周波数軸上に所定のデータが配置された周波数領域のダミーデータ列の位相を、前記ピーク検出部により検出された前記ピーク位置及び前記ピーク値に応じて調整し、前記周波数領域のピーク低減信号を生成する信号生成手段と、を備え、
前記信号生成手段は、
前記ピーク位置に基づいて、前記メモリに格納されたテーブルの位相データを読み出す際の読み出し位置を特定し、前記メモリに格納されたテーブルから、前記読み出し位置の位相データを順次読み出し、前記周波数領域のダミーデータ列の位相を、前記読み出した位相データの位相だけ調整し、周波数領域の時間シフト信号を生成する時間シフト段と、
前記ピーク値に基づいて位相を特定する位相特定段と、
前記時間シフト段により生成された前記周波数領域の時間シフト信号の位相を、前記位相特定段により特定された前記位相だけ調整し、前記周波数領域のピーク低減信号を生成する位相調整段と、
を有することを特徴とするピーク低減回路。
【請求項２】
所定のダミーデータを、周波数領域のＯＦＤＭ信号におけるデータが割り当てられていないサブキャリアに設定し、時間領域のＯＦＤＭ信号のピークを低減するピーク低減回路において、
前記時間領域のＯＦＤＭ信号における１シンボル内の振幅が最大となる時間位置をピーク位置として検出すると共に、当該ピーク位置の前記時間領域のＯＦＤＭ信号をピーク値として検出するピーク検出部と、
前記ピーク検出部により検出された前記ピーク値を低減するための信号であって、前記ピーク検出部により検出された前記ピーク位置と同じ位置に所定のピーク値を有する周波数領域のピーク低減信号を生成するピーク低減信号生成部と、
前記ピーク低減信号生成部により生成された前記周波数領域のピーク低減信号を、所定のスケール値で除算することでスケーリングするスケーリング部と、
前記スケーリング部によりスケーリングされたスケーリング後のピーク低減信号の一部を前記所定のダミーデータとし、当該ダミーデータを、前記周波数領域のＯＦＤＭ信号におけるデータが割り当てられていないサブキャリアに埋め込む埋め込み部と、
前記埋め込み部により前記ダミーデータが埋め込まれた周波数領域のＯＦＤＭ信号にＩＦＦＴ（逆高速フーリエ変換）を施し、前記ピークが低減された時間領域のＯＦＤＭ信号を生成するＩＦＦＴ部と、を備え、
前記ピーク低減信号生成部は、
１シンボルが所定数のポイントからなる場合に、０から２πまでの間を回転する前記ポイント毎の位相データを含むテーブルが格納されたメモリと、
前記メモリに格納されたテーブルの位相データを用いて、周波数軸上に所定のデータが配置された周波数領域のダミーデータ列の位相を、前記ピーク検出部により検出された前記ピーク位置及び前記ピーク値に応じて調整し、前記周波数領域のピーク低減信号を生成する信号生成手段と、を備え、
前記信号生成手段は、
前記ピーク値に基づいて位相を特定する位相特定段と、
前記ピーク位置に基づいて、前記メモリに格納されたテーブルの位相データを読み出す際の読み出し位置を特定し、前記位相特定段により特定された前記位相に基づいて、前記読み出し位置をシフトし、前記メモリに格納されたテーブルから、前記シフト後の読み出し位置の位相データを順次読み出し、前記周波数領域のダミーデータ列の位相を、前記読み出した位相データの位相だけ調整し、前記周波数領域のピーク低減信号を生成する時間シフト及び位相調整段と、
を有することを特徴とするピーク低減回路。
【請求項３】
送信対象のデータをマッピングして周波数領域のサブキャリアに配置し、周波数領域の信号にＩＦＦＴ（逆高速フーリエ変換）を施して時間領域のＯＦＤＭ信号を生成し、前記ＯＦＤＭ信号を送信するＯＦＤＭ信号送信装置において、
前記送信対象のデータにキャリア変調を施してＩＱ軸にマッピングし、変調信号を生成するデータマッピング部と、
前記データマッピング部により生成された前記変調信号を周波数領域のサブキャリアに配置し、周波数領域の信号を生成するサブキャリア配置部と、
前記サブキャリア配置部により生成された前記周波数領域の信号にＩＦＦＴを施し、時間領域のＯＦＤＭ信号を生成するＩＦＦＴ部と、
所定のダミーデータを、前記サブキャリア配置部により生成された前記周波数領域の信号におけるデータが割り当てられていないサブキャリアに設定し、前記ＩＦＦＴ部により生成された前記時間領域のＯＦＤＭ信号からピークが低減された信号を、新たな時間領域のＯＦＤＭ信号として生成するピーク低減処理部と、
前記ピーク低減処理部により生成された前記新たな時間領域のＯＦＤＭ信号にＧＩ（ガードインターバル）を付加するＧＩ付加部と、を備え、
前記ピーク低減処理部は、
前記ＩＦＦＴ部により生成された前記時間領域のＯＦＤＭ信号における１シンボル内の振幅が最大となる時間位置をピーク位置として検出すると共に、当該ピーク位置の前記信号をピーク値として検出するピーク検出部と、
前記ピーク検出部により検出された前記ピーク値を低減するための信号であって、前記ピーク検出部により検出された前記ピーク位置と同じ位置に、所定のピーク値を有する周波数領域のピーク低減信号を生成するピーク低減信号生成部と、
前記ピーク低減信号生成部により生成された前記周波数領域のピーク低減信号を、所定のスケール値で除算することでスケーリングするスケーリング部と、
前記スケーリング部によりスケーリングされたスケーリング後のピーク低減信号の一部を前記所定のダミーデータとし、当該ダミーデータを、前記周波数領域の信号におけるデータが割り当てられていないサブキャリアに埋め込む埋め込み部と、
前記埋め込み部により前記ダミーデータが埋め込まれた周波数領域の信号にＩＦＦＴを施し、前記ピークが低減された新たな時間領域のＯＦＤＭ信号を生成するＩＦＦＴ部と、を備え、
前記ピーク低減信号生成部は、
１シンボルが所定数のポイントからなる場合に、０から２πまでの間を回転する前記ポイント毎の位相データを含むテーブルが格納されたメモリと、
前記メモリに格納されたテーブルの位相データを用いて、周波数軸上に所定のデータが配置された周波数領域のダミーデータ列の位相を、前記ピーク検出部により検出された前記ピーク位置及び前記ピーク値に応じて調整し、前記周波数領域のピーク低減信号を生成する信号生成手段と、を備え、
前記信号生成手段は、
前記ピーク位置に基づいて、前記メモリに格納されたテーブルの位相データを読み出す際の読み出し位置を特定し、前記メモリに格納されたテーブルから、前記読み出し位置の位相データを順次読み出し、前記周波数領域のダミーデータ列の位相を、前記読み出した位相データの位相だけ調整し、周波数領域の時間シフト信号を生成する時間シフト段と、
前記ピーク値に基づいて位相を特定する位相特定段と、
前記時間シフト段により生成された前記周波数領域の時間シフト信号の位相を、前記位相特定段により特定された前記位相だけ調整し、前記周波数領域のピーク低減信号を生成する位相調整段と、
を有することを特徴とするＯＦＤＭ信号送信装置。
【請求項４】
送信対象のデータをマッピングして周波数領域のサブキャリアに配置し、周波数領域の信号にＩＦＦＴ（逆高速フーリエ変換）を施して時間領域のＯＦＤＭ信号を生成し、前記ＯＦＤＭ信号を送信するＯＦＤＭ信号送信装置に搭載されるチップにおいて、
前記ＯＦＤＭ信号送信装置が、
前記送信対象のデータにキャリア変調を施してＩＱ軸にマッピングし、変調信号を生成するデータマッピング部と、
前記データマッピング部により生成された前記変調信号を周波数領域のサブキャリアに配置し、周波数領域の信号を生成するサブキャリア配置部と、
前記サブキャリア配置部により生成された前記周波数領域の信号にＩＦＦＴを施し、時間領域のＯＦＤＭ信号を生成するＩＦＦＴ部と、
所定のダミーデータを、前記サブキャリア配置部により生成された前記周波数領域の信号におけるデータが割り当てられていないサブキャリアに設定し、前記ＩＦＦＴ部により生成された前記時間領域のＯＦＤＭ信号からピークが低減された信号を、新たな時間領域のＯＦＤＭ信号として生成するピーク低減処理部と、
前記ピーク低減処理部により生成された前記新たな時間領域のＯＦＤＭ信号にＧＩ（ガードインターバル）を付加するＧＩ付加部と、を備え、
前記ピーク低減処理部が、
前記ＩＦＦＴ部により生成された前記時間領域のＯＦＤＭ信号における１シンボル内の振幅が最大となる時間位置をピーク位置として検出すると共に、当該ピーク位置の前記信号をピーク値として検出するピーク検出部と、
前記ピーク検出部により検出された前記ピーク値を低減するための信号であって、前記ピーク検出部により検出された前記ピーク位置と同じ位置に、所定のピーク値を有する周波数領域のピーク低減信号を生成するピーク低減信号生成部と、
前記ピーク低減信号生成部により生成された前記周波数領域のピーク低減信号を、所定のスケール値で除算することでスケーリングするスケーリング部と、
前記スケーリング部によりスケーリングされたスケーリング後のピーク低減信号の一部を前記所定のダミーデータとし、当該ダミーデータを、前記周波数領域の信号におけるデータが割り当てられていないサブキャリアに埋め込む埋め込み部と、
前記埋め込み部により前記ダミーデータが埋め込まれた周波数領域の信号にＩＦＦＴを施し、前記ピークが低減された新たな時間領域のＯＦＤＭ信号を生成するＩＦＦＴ部と、を備え、
前記ピーク低減信号生成部が、
１シンボルが所定数のポイントからなる場合に、０から２πまでの間を回転する前記ポイント毎の位相データを含むテーブルが格納されたメモリと、
前記メモリに格納されたテーブルの位相データを用いて、周波数軸上に所定のデータが配置された周波数領域のダミーデータ列の位相を、前記ピーク検出部により検出された前記ピーク位置及び前記ピーク値に応じて調整し、前記周波数領域のピーク低減信号を生成する信号生成手段と、を備え、
前記信号生成手段が、
前記ピーク位置に基づいて、前記メモリに格納されたテーブルの位相データを読み出す際の読み出し位置を特定し、前記メモリに格納されたテーブルから、前記読み出し位置の位相データを順次読み出し、前記周波数領域のダミーデータ列の位相を、前記読み出した位相データの位相だけ調整し、周波数領域の時間シフト信号を生成する時間シフト段と、
前記ピーク値に基づいて位相を特定する位相特定段と、
前記時間シフト段により生成された前記周波数領域の時間シフト信号の位相を、前記位相特定段により特定された前記位相だけ調整し、前記周波数領域のピーク低減信号を生成する位相調整段と、を有する場合に、
当該チップは、少なくとも前記ピーク低減信号生成部を備えたことを特徴とするチップ。
【発明の詳細な説明】
【技術分野】
【０００１】
本発明は、マルチキャリア変調における変調信号のピークを低減するピーク低減回路、ＯＦＤＭ信号送信装置及びチップに関する。
【背景技術】
【０００２】
図１５は、従来のＯＦＤＭ（Orthogonal Frequency Division Multiplexing：直交周波数分割多重）信号送信装置の構成例を示すブロック図である。このＯＦＤＭ信号送信装置１００は、データマッピング部１０、サブキャリア配置部１１、ＩＦＦＴ（Inverse Fast Fourier Transform：逆高速フーリエ変換）部１２及びＧＩ（Guard Interval：ガードインターバル）付加部１３を備えている。ＯＦＤＭ信号送信装置１００は、送信対象のデータにＯＦＤＭ変調を施してＯＦＤＭ信号を生成し、ＯＦＤＭ信号を送信する。
【０００３】
データマッピング部１０は、送信対象のデータを入力し、データにキャリア変調を施してＩＱ軸にマッピングし、変調信号を生成する。そして、データマッピング部１０は、ＩＱ軸にマッピングした変調信号をサブキャリア配置部１１に出力する。
【０００４】
サブキャリア配置部１１は、データマッピング部１０から変調信号を入力し、変調信号を周波数領域のサブキャリアに配置し、周波数領域の信号Ｓ（ｎ）（周波数領域のＯＦＤＭ信号Ｓ（ｎ））を生成する。ここで、ｎは、周波数領域のサブキャリア番号を示す。そして、サブキャリア配置部１１は、周波数領域の信号Ｓ（ｎ）をＩＦＦＴ部１２に出力する。
【０００５】
図１６は、周波数領域の信号Ｓ（ｎ）を説明する図である。横軸は、周波数軸上のサブキャリア番号ｎを示し、縦軸は、周波数領域の信号Ｓ（ｎ）を示す。周波数領域の信号Ｓ（ｎ）は、ＩＱ軸にマッピングされた複素数のデータであり、周波数領域の１シンボル長がＮサンプル（Ｎポイント）のサブキャリアからなるものとする。この周波数領域は、帯域内の領域と、当該帯域内の領域の両側に位置する帯域外の領域とからなる。帯域内の領域において、サブキャリア番号ｎ＝０〜Ｍ−１のＭ個のサブキャリアに、キャリア変調された送信対象のデータである変調信号、及び制御情報等がそれぞれ配置される。
【０００６】
図１６の例では、サブキャリア番号ｎ＝０，１，３，５，・・・，ｍ，・・・，Ｍ−１のサブキャリアに、キャリア変調された送信対象のデータである変調信号が配置される。また、サブキャリア番号ｎ＝２，４等のサブキャリアに、送信対象のデータ以外の制御情報（例えばＴＭＣＣ（Transmission and Multiplexing Configuration and Control）信号）、チャネル推定のための既知データ（例えばＳＰ（Scattered Pilot：スキャタードパイロット）信号）、ユーザーが任意に設定可能な補助データ（例えばＡＣ（Auxiliary Channel）信号）等のパイロット信号が配置される。
【０００７】
つまり、サブキャリア配置部１１は、キャリア変調された送信対象のデータである変調信号を所定のサブキャリアに配置すると共に、予め設定された制御情報等を他の所定のサブキャリアに配置し、周波数領域の信号Ｓ（ｎ）を生成する。
【０００８】
図１５に戻って、ＩＦＦＴ部１２は、サブキャリア配置部１１から周波数領域の信号Ｓ（ｎ）を入力し、周波数領域の信号Ｓ（ｎ）にＩＦＦＴを施し、時間領域の信号ｓ（ｋ）（時間領域のＯＦＤＭ信号ｓ（ｋ））を生成する。ここで、ｋは時刻を示す。そして、ＩＦＦＴ部１２は、時間領域の信号ｓ（ｋ）をＧＩ付加部１３に出力する。
【０００９】
ＧＩ付加部１３は、ＩＦＦＴ部１２から時間領域の信号ｓ（ｋ）を入力し、有効シンボル区間に相当する信号ｓ（ｋ）の先頭に、有効シンボル区間に相当する信号ｓ（ｋ）の所定の後ろの部分をコピーすることで、ＧＩを付加する。そして、ＧＩ付加部１３によりＧＩが付加された信号は、周波数変換等が施された後、ＯＦＤＭ信号送信装置１００からＯＦＤＭ信号として送信される。
【００１０】
このように、ＯＦＤＭ信号送信装置１００により、送信対象のデータに対し、データマッピング、サブキャリア配置、ＩＦＦＴ、ＧＩ付加等の処理が施され、送信対象のデータは、ＯＦＤＭ信号として送信される。
【００１１】
ところで、図１５に示したＯＦＤＭ信号送信装置１００のＩＦＦＴ部１２において、ＩＦＦＴにより、周波数領域の信号Ｓ（ｎ）が時間領域の信号ｓ（ｋ）に変換される。周波数領域の信号Ｓ（ｎ）が、図１６に示したサブキャリア番号ｎに配置される場合を仮定すると、ＩＦＦＴ部１２は、以下の式により、離散時間のＩＦＦＴにて、周波数領域の信号Ｓ（ｎ）から時間領域の信号ｓ（ｋ）を生成する。
【数１】
0006641154.tif 000002
【００１２】
前記数式（１）から、時刻ｋ毎に、周波数領域の信号Ｓ（ｎ）とｅｘｐが底である指数関数との乗算結果の位相が一致する場合、ある時刻の時間領域の信号ｓ（ｋ）の瞬時値は大きなピークとなり得ることがわかる。
【００１３】
図１７は、ＯＦＤＭ信号の波形例を示す図である。横軸は時間（サンプル）を示し、縦軸はＯＦＤＭ信号の振幅を示す。このＯＦＤＭ信号の波形は、図１５に示したＯＦＤＭ信号送信装置１００のＩＦＦＴ部１２により生成された時間領域の信号ｓ（ｋ）の波形例であり、１シンボル期間の波形を示し、その平均振幅は１である。
【００１４】
図１７から、ある時刻において、ＯＦＤＭ信号は、その平均値１よりも極めて大きなピークとなっていることがわかる。このＯＦＤＭ信号にピークが現れるのは、前述のとおり、ＩＦＦＴ部１２によりＩＦＦＴの処理が行われる前記数式（１）において、周波数領域の信号Ｓ（ｎ）及び指数関数ｅｘｐの位相が一致するからである。したがって、ＯＦＤＭ信号が瞬時的なピークを有することは、必然的に発生する現象である。
【００１５】
このようなＯＦＤＭ信号のピークが高くなると、増幅器（図１５において、ＩＦＦＴ部１２及びＧＩ付加部１３の後段に設けられた図示しない増幅器）により増幅されるＯＦＤＭ信号は、歪みを有することとなる。そして、ＯＦＤＭ信号送信装置１００からの送信信号の劣化が大きくなり、結果として、伝送特性に悪影響を及ぼしてしまう。
【００１６】
従来、ＯＦＤＭ信号のピークを低減するための様々な手法が提案されている。例えば、ＯＦＤＭ信号を歪ませることにより、そのピークを低減する処理を複数回繰り返して行う手法が知られている（例えば特許文献１を参照）。この手法は、時間領域のＯＦＤＭ信号のうち所定の閾値を超えるピークを低減させ、ＦＦＴ（Fast Fourier Transform：高速フーリエ変換）及びＩＦＦＴの一連の処理を複数回繰り返して行うものである。
【先行技術文献】
【特許文献】
【００１７】
【特許文献１】特開２０１３−１６２２８２号公報
【発明の概要】
【発明が解決しようとする課題】
【００１８】
一般に、ＯＦＤＭ信号のピークを低減するための代表的な手法には、ＣＡＦ法（Clipping and Filtering method：クリッピング及びフィルタリング法）、ＴＲ法（Tone Reservation method：トーン予約法）及びＰＴＳ法（Partial Transmit Sequence：部分系列伝送法）がある。
【００１９】
ＣＡＦ法は、クリッピング処理とフィルタリング処理を組み合わせることにより、ＯＦＤＭ信号を歪ませ、ＯＦＤＭ信号のピークを低減する手法である。
【００２０】
このＣＡＦ法によれば、比較的小さな計算コストや回路規模でピーク低減を実現できるが、ＯＦＤＭ信号を歪ませる手法であることから、ＥＶＭ（Error Vector Magnitude：変調精度）の劣化を引き起こしてしまう。これに対し、前述の特許文献１の手法は、ＯＦＤＭ信号を歪ませてそのピークを低減する処理を繰り返し行い、１回あたりのピーク低減量を少なくすることで、ＥＶＭの劣化を抑えている。しかし、ＥＶＭの劣化を完全に除去することはできない。
【００２１】
ＴＲ法は、周波数領域のＯＦＤＭ信号において、データを割り当てていないサブキャリアに、ピーク低減用のダミーデータを設定する手法である。このＴＲ法では、ピークを検出する処理とダミーデータを生成する処理が主となる。また、ピークを検出する処理とダミーデータを生成する処理とを繰り返し行う手法もある。
【００２２】
このＴＲ法によれば、データを操作しないため、ＥＶＭの劣化を抑えることができる。しかし、ダミーデータを生成する処理は、複雑な複素演算が必要となることから、計算コストが高くなってしまう。特に、ピークを検出する処理とダミーデータを生成する処理とを繰り返し行う手法では、計算コストがさらに高くなる。
【００２３】
ＰＴＳ法は、送信対象のデータに位相回転を施してＯＦＤＭ変調することで、ＯＦＤＭ信号のピークを低減する手法である。具体的には、位相回転のパターンを複数用意し、全てのパターンに対してＯＦＤＭ信号を生成し、生成した複数のＯＦＤＭ信号のうち最もピークが低いＯＦＤＭ信号を選択して送信するものである。
【００２４】
このＰＴＳ法によれば、１系統のＯＦＤＭ信号を送信するために、複数のＯＦＤＭ信号を生成する必要があるため、計算コストは非常に高くなる。また、データに施した位相回転は、受信側で復元する必要があるため、位相回転のパターンを何らかの手法で送信側から受信側へ伝送する必要がある。このため、受信側にてデータの位相を完全に復元することができる場合、ＴＲ法と同様に、ＥＶＭの劣化を引き起こすことはない。
【００２５】
本発明では、前述のＴＲ法に着目する。ＴＲ法は、前述のとおり、ピーク低減用のダミーデータを生成し、データが割り当てられていないサブキャリアに、そのダミーデータを設定することで、ＥＶＭの劣化を抑えるものである。この場合、ＴＲ法では、ピーク低減用のダミーデータを生成する処理において、ＥＶＭの劣化を効果的に抑えることが可能なダミーデータを生成することが望まれていた。
【００２６】
そこで、本発明はかかる課題を解決するためになされたものであり、その目的は、データが割り当てられていないサブキャリアにダミーデータを設定し、ＯＦＤＭ信号のピークを低減するＴＲ法において、ＥＶＭの劣化を効果的に抑えるダミーデータを生成可能なピーク低減回路、ＯＦＤＭ信号送信装置及びチップを提供することにある。
【課題を解決するための手段】
【００２９】
前記課題を解決するため、請求項１のピーク低減回路は、所定のダミーデータを、周波数領域のＯＦＤＭ信号におけるデータが割り当てられていないサブキャリアに設定し、時間領域のＯＦＤＭ信号のピークを低減するピーク低減回路において、前記時間領域のＯＦＤＭ信号における１シンボル内の振幅が最大となる時間位置をピーク位置として検出すると共に、当該ピーク位置の前記時間領域のＯＦＤＭ信号をピーク値として検出するピーク検出部と、前記ピーク検出部により検出された前記ピーク値を低減するための信号であって、前記ピーク検出部により検出された前記ピーク位置と同じ位置に所定のピーク値を有する周波数領域のピーク低減信号を生成するピーク低減信号生成部と、前記ピーク低減信号生成部により生成された前記周波数領域のピーク低減信号を、所定のスケール値で除算することでスケーリングするスケーリング部と、前記スケーリング部によりスケーリングされたスケーリング後のピーク低減信号の一部を前記所定のダミーデータとし、当該ダミーデータを、前記周波数領域のＯＦＤＭ信号におけるデータが割り当てられていないサブキャリアに埋め込む埋め込み部と、前記埋め込み部により前記ダミーデータが埋め込まれた周波数領域のＯＦＤＭ信号にＩＦＦＴ（逆高速フーリエ変換）を施し、前記ピークが低減された時間領域のＯＦＤＭ信号を生成するＩＦＦＴ部と、を備え、前記ピーク低減信号生成部が、１シンボルが所定数のポイントからなる場合に、０から２πまでの間を回転する前記ポイント毎の位相データを含むテーブルが格納されたメモリと、前記メモリに格納されたテーブルの位相データを用いて、周波数軸上に所定のデータが配置された周波数領域のダミーデータ列の位相を、前記ピーク検出部により検出された前記ピーク位置及び前記ピーク値に応じて調整し、前記周波数領域のピーク低減信号を生成する信号生成手段と、を備え、前記信号生成手段が、前記ピーク位置に基づいて、前記メモリに格納されたテーブルの位相データを読み出す際の読み出し位置を特定し、前記メモリに格納されたテーブルから、前記読み出し位置の位相データを順次読み出し、前記周波数領域のダミーデータ列の位相を、前記読み出した位相データの位相だけ調整し、周波数領域の時間シフト信号を生成する時間シフト段と、前記ピーク値に基づいて位相を特定する位相特定段と、前記時間シフト段により生成された前記周波数領域の時間シフト信号の位相を、前記位相特定段により特定された前記位相だけ調整し、前記周波数領域のピーク低減信号を生成する位相調整段と、を有することを特徴とする。
【００３０】
また、請求項２のピーク低減回路は、所定のダミーデータを、周波数領域のＯＦＤＭ信号におけるデータが割り当てられていないサブキャリアに設定し、時間領域のＯＦＤＭ信号のピークを低減するピーク低減回路において、前記時間領域のＯＦＤＭ信号における１シンボル内の振幅が最大となる時間位置をピーク位置として検出すると共に、当該ピーク位置の前記時間領域のＯＦＤＭ信号をピーク値として検出するピーク検出部と、前記ピーク検出部により検出された前記ピーク値を低減するための信号であって、前記ピーク検出部により検出された前記ピーク位置と同じ位置に所定のピーク値を有する周波数領域のピーク低減信号を生成するピーク低減信号生成部と、前記ピーク低減信号生成部により生成された前記周波数領域のピーク低減信号を、所定のスケール値で除算することでスケーリングするスケーリング部と、前記スケーリング部によりスケーリングされたスケーリング後のピーク低減信号の一部を前記所定のダミーデータとし、当該ダミーデータを、前記周波数領域のＯＦＤＭ信号におけるデータが割り当てられていないサブキャリアに埋め込む埋め込み部と、前記埋め込み部により前記ダミーデータが埋め込まれた周波数領域のＯＦＤＭ信号にＩＦＦＴ（逆高速フーリエ変換）を施し、前記ピークが低減された時間領域のＯＦＤＭ信号を生成するＩＦＦＴ部と、を備え、前記ピーク低減信号生成部が、１シンボルが所定数のポイントからなる場合に、０から２πまでの間を回転する前記ポイント毎の位相データを含むテーブルが格納されたメモリと、前記メモリに格納されたテーブルの位相データを用いて、周波数軸上に所定のデータが配置された周波数領域のダミーデータ列の位相を、前記ピーク検出部により検出された前記ピーク位置及び前記ピーク値に応じて調整し、前記周波数領域のピーク低減信号を生成する信号生成手段と、を備え、前記信号生成手段が、前記ピーク値に基づいて位相を特定する位相特定段と、前記ピーク位置に基づいて、前記メモリに格納されたテーブルの位相データを読み出す際の読み出し位置を特定し、前記位相特定段により特定された前記位相に基づいて、前記読み出し位置をシフトし、前記メモリに格納されたテーブルから、前記シフト後の読み出し位置の位相データを順次読み出し、前記周波数領域のダミーデータ列の位相を、前記読み出した位相データの位相だけ調整し、前記周波数領域のピーク低減信号を生成する時間シフト及び位相調整段と、を有することを特徴とする。
【００３１】
さらに、請求項３のＯＦＤＭ信号送信装置は、送信対象のデータをマッピングして周波数領域のサブキャリアに配置し、周波数領域の信号にＩＦＦＴ（逆高速フーリエ変換）を施して時間領域のＯＦＤＭ信号を生成し、前記ＯＦＤＭ信号を送信するＯＦＤＭ信号送信装置において、前記送信対象のデータにキャリア変調を施してＩＱ軸にマッピングし、変調信号を生成するデータマッピング部と、前記データマッピング部により生成された前記変調信号を周波数領域のサブキャリアに配置し、周波数領域の信号を生成するサブキャリア配置部と、前記サブキャリア配置部により生成された前記周波数領域の信号にＩＦＦＴを施し、時間領域のＯＦＤＭ信号を生成するＩＦＦＴ部と、所定のダミーデータを、前記サブキャリア配置部により生成された前記周波数領域の信号におけるデータが割り当てられていないサブキャリアに設定し、前記ＩＦＦＴ部により生成された前記時間領域のＯＦＤＭ信号からピークが低減された信号を、新たな時間領域のＯＦＤＭ信号として生成するピーク低減処理部と、前記ピーク低減処理部により生成された前記新たな時間領域のＯＦＤＭ信号にＧＩ（ガードインターバル）を付加するＧＩ付加部と、を備え、前記ピーク低減処理部が、前記ＩＦＦＴ部により生成された前記時間領域のＯＦＤＭ信号における１シンボル内の振幅が最大となる時間位置をピーク位置として検出すると共に、当該ピーク位置の前記信号をピーク値として検出するピーク検出部と、前記ピーク検出部により検出された前記ピーク値を低減するための信号であって、前記ピーク検出部により検出された前記ピーク位置と同じ位置に、所定のピーク値を有する周波数領域のピーク低減信号を生成するピーク低減信号生成部と、前記ピーク低減信号生成部により生成された前記周波数領域のピーク低減信号を、所定のスケール値で除算することでスケーリングするスケーリング部と、前記スケーリング部によりスケーリングされたスケーリング後のピーク低減信号の一部を前記所定のダミーデータとし、当該ダミーデータを、前記周波数領域の信号におけるデータが割り当てられていないサブキャリアに埋め込む埋め込み部と、前記埋め込み部により前記ダミーデータが埋め込まれた周波数領域の信号にＩＦＦＴを施し、前記ピークが低減された新たな時間領域のＯＦＤＭ信号を生成するＩＦＦＴ部と、を備え、前記ピーク低減信号生成部が、１シンボルが所定数のポイントからなる場合に、０から２πまでの間を回転する前記ポイント毎の位相データを含むテーブルが格納されたメモリと、前記メモリに格納されたテーブルの位相データを用いて、周波数軸上に所定のデータが配置された周波数領域のダミーデータ列の位相を、前記ピーク検出部により検出された前記ピーク位置及び前記ピーク値に応じて調整し、前記周波数領域のピーク低減信号を生成する信号生成手段と、を備え、前記信号生成手段が、前記ピーク位置に基づいて、前記メモリに格納されたテーブルの位相データを読み出す際の読み出し位置を特定し、前記メモリに格納されたテーブルから、前記読み出し位置の位相データを順次読み出し、前記周波数領域のダミーデータ列の位相を、前記読み出した位相データの位相だけ調整し、周波数領域の時間シフト信���を生成する時間シフト段と、前記ピーク値に基づいて位相を特定する位相特定段と、前記時間シフト段により生成された前記周波数領域の時間シフト信号の位相を、前記位相特定段により特定された前記位相だけ調整し、前記周波数領域のピーク低減信号を生成する位相調整段と、を有することを特徴とする。
【００３２】
さらに、請求項４のチップは、送信対象のデータをマッピングして周波数領域のサブキャリアに配置し、周波数領域の信号にＩＦＦＴ（逆高速フーリエ変換）を施して時間領域のＯＦＤＭ信号を生成し、前記ＯＦＤＭ信号を送信するＯＦＤＭ信号送信装置に搭載されるチップにおいて、前記ＯＦＤＭ信号送信装置が、前記送信対象のデータにキャリア変調を施してＩＱ軸にマッピングし、変調信号を生成するデータマッピング部と、前記データマッピング部により生成された前記変調信号を周波数領域のサブキャリアに配置し、周波数領域の信号を生成するサブキャリア配置部と、前記サブキャリア配置部により生成された前記周波数領域の信号にＩＦＦＴを施し、時間領域のＯＦＤＭ信号を生成するＩＦＦＴ部と、所定のダミーデータを、前記サブキャリア配置部により生成された前記周波数領域の信号におけるデータが割り当てられていないサブキャリアに設定し、前記ＩＦＦＴ部により生成された前記時間領域のＯＦＤＭ信号からピークが低減された信号を、新たな時間領域のＯＦＤＭ信号として生成するピーク低減処理部と、前記ピーク低減処理部により生成された前記新たな時間領域のＯＦＤＭ信号にＧＩ（ガードインターバル）を付加するＧＩ付加部と、を備え、前記ピーク低減処理部が、前記ＩＦＦＴ部により生成された前記時間領域のＯＦＤＭ信号における１シンボル内の振幅が最大となる時間位置をピーク位置として検出すると共に、当該ピーク位置の前記信号をピーク値として検出するピーク検出部と、前記ピーク検出部により検出された前記ピーク値を低減するための信号であって、前記ピーク検出部により検出された前記ピーク位置と同じ位置に、所定のピーク値を有する周波数領域のピーク低減信号を生成するピーク低減信号生成部と、前記ピーク低減信号生成部により生成された前記周波数領域のピーク低減信号を、所定のスケール値で除算することでスケーリングするスケーリング部と、前記スケーリング部によりスケーリングされたスケーリング後のピーク低減信号の一部を前記所定のダミーデータとし、当該ダミーデータを、前記周波数領域の信号におけるデータが割り当てられていないサブキャリアに埋め込む埋め込み部と、前記埋め込み部により前記ダミーデータが埋め込まれた周波数領域の信号にＩＦＦＴを施し、前記ピークが低減された新たな時間領域のＯＦＤＭ信号を生成するＩＦＦＴ部と、を備え、前記ピーク低減信号生成部が、１シンボルが所定数のポイントからなる場合に、０から２πまでの間を回転する前記ポイント毎の位相データを含むテーブルが格納されたメモリと、前記メモリに格納されたテーブルの位相データを用いて、周波数軸上に所定のデータが配置された周波数領域のダミーデータ列の位相を、前記ピーク検出部により検出された前記ピーク位置及び前記ピーク値に応じて調整し、前記周波数領域のピーク低減信号を生成する信号生成手段と、を備え、前記信号生成手段が、前記ピーク位置に基づいて、前記メモリに格納されたテーブルの位相データを読み出す際の読み出し位置を特定し、前記メモリに格納されたテーブルから、前記読み出し位置の位相データを順次読み出し、前記周波数領域のダミーデータ列の位相を、前記読み出した位相データの位相だけ���整し、周波数領域の時間シフト信号を生成する時間シフト段と、前記ピーク値に基づいて位相を特定する位相特定段と、前記時間シフト段により生成された前記周波数領域の時間シフト信号の位相を、前記位相特定段により特定された前記位相だけ調整し、前記周波数領域のピーク低減信号を生成する位相調整段と、を有する場合に、当該チップが、少なくとも前記ピーク低減信号生成部を備えたことを特徴とする。
【発明の効果】
【００３３】
以上のように、本発明によれば、データが割り当てられていないサブキャリアにダミーデータを設定し、ＯＦＤＭ信号のピークを低減するＴＲ法において、ＥＶＭの劣化を効果的に抑えるダミーデータを生成することが可能となる。
【図面の簡単な説明】
【００３４】
【図１】本発明の実施形態によるＯＦＤＭ信号送信装置の構成例を示すブロック図である。
【図２】ピーク低減処理部の構成例を示すブロック図である。
【図３】ピーク低減信号生成部による処理の概要を説明する図である。
【図４】実施例１のピーク低減信号生成部の構成例を示すブロック図である。
【図５】実施例１のピーク低減信号生成部の処理例を示すフローチャートである。
【図６】実施例１のピーク低減信号生成部の処理例を説明する図である。
【図７】実施例２のピーク低減信号生成部の構成例を示すブロック図である。
【図８】実施例２において、メモリに格納されたデータを説明する図である。
【図９】実施例２−１のピーク低減信号生成部の構成例を示すブロック図である。
【図１０】実施例２−１のピーク低減信号生成部の処理例を示すフローチャートである。
【図１１】（１）は、ピーク位置Ｐ＝２の位相データの例を示す図である。（２）は、ピーク位置Ｐ＝３の位相データの例を示す図である。
【図１２】実施例２−２のピーク低減信号生成部の構成例を示すブロック図である。
【図１３】実施例２−２のピーク低減信号生成部の処理例を示すフローチャートである。
【図１４】（１）は、ピーク位置Ｐ＝１の場合の位相データを示す図である。（２）は、ピーク位置Ｐ＝１及び位相θの調整がされた場合の位相データを示す図である。（３）は、ピーク位置Ｐ＝１及び位相θの調整がされた場合の（２）の説明を補充する図である。
【図１５】従来のＯＦＤＭ信号送信装置の構成例を示すブロック図である。
【図１６】周波数領域の信号Ｓ（ｎ）を説明する図である。
【図１７】ＯＦＤＭ信号の波形例を示す図である。
【発明を実施するための形態】
【００３５】
以下、本発明を実施するための形態について図面を用いて詳細に説明する。
〔ＯＦＤＭ信号送信装置〕
まず、本発明の実施形態によるＯＦＤＭ信号送信装置について説明する。図１は、本発明の実施形態によるＯＦＤＭ信号送信装置の構成例を示すブロック図である。このＯＦＤＭ信号送信装置１は、ＴＲ法を用いてＯＦＤＭ信号のピークを低減する装置であり、データマッピング部１０、サブキャリア配置部１１、ＩＦＦＴ部１２、ピーク低減処理部（ピーク低減回路）２０及びＧＩ付加部１３を備えている。
【００３６】
ＯＦＤＭ信号送信装置１は、ダミーデータを生成し、このダミーデータを、周波数領域のＯＦＤＭ信号においてデータが割り当てられていない所定のサブキャリアに設定することにより、時間領域のＯＦＤＭ信号のピークを低減する。
【００３７】
図１に示すＯＦＤＭ信号送信装置１と、図１５に示した従来のＯＦＤＭ信号送信装置１００とを比較すると、両ＯＦＤＭ信号送信装置１，１００は、データマッピング部１０、サブキャリア配置部１１、ＩＦＦＴ部１２及びＧＩ付加部１３を備えている点で同一である。これに対し、ＯＦＤＭ信号送信装置１は、ピーク低減処理部２０を備えている点で、ＯＦＤＭ信号送信装置１００と相違する。図１において、図１５と共通する部分には図１５と同一の符号を付し、その詳しい説明は省略する。
【００３８】
サブキャリア配置部１１は、変調信号が所定のサブキャリアに配置された周波数領域の信号Ｓ（ｎ）を、ＩＦＦＴ部１２及びピーク低減処理部２０に出力する。
【００３９】
ピーク低減処理部２０は、ＩＦＦＴ部１２から時間領域の信号ｓ（ｋ）を入力すると共に、サブキャリア配置部１１から周波数領域の信号Ｓ（ｎ）を入力し、時間領域の信号ｓ（ｋ）からピーク位置Ｐ及びピーク値ｓ（Ｐ）を検出する。時間領域の信号ｓ（ｋ）は、時刻ｋ＝Ｐのときにピークを有するものとする。
【００４０】
ピーク低減処理部２０は、ピーク位置Ｐ及びピーク値ｓ（Ｐ）、並びに、ｋ＝０にピークを有するダミー信号δ（ｋ）に変換可能なダミーデータ列Δ（ｎ）に基づいて、ピーク値ｓ（Ｐ）を打ち消すための信号であって、ピーク位置Ｐと同じ位置に所定のピーク値を有する打ち消し信号ｄ（ｋ）に変換可能なピーク低減信号Ｄ（ｎ）を生成する。周波数領域のピーク低減信号Ｄ（ｎ）の生成手法の詳細については後述する。
【００４１】
ピーク低減処理部２０は、スケーリング後のピーク低減信号Ｄ（ｎ）／Ｃの一部を、周波数領域の信号Ｓ（ｎ）のうちデータが割り当てられていない所定のサブキャリアに埋め込み、ＩＦＦＴすることで、ピークが低減された時間領域の信号ｓ’（ｋ）を生成する。そして、ピーク低減処理部２０は、ピークが低減された時間領域の信号ｓ’（ｋ）をＧＩ付加部１３に出力する。
【００４２】
ＧＩ付加部１３は、ピーク低減処理部２０からピークが低減された時間領域の信号ｓ’（ｋ）を入力し、時間領域の信号ｓ’（ｋ）にＧＩを付加する。そして、ＧＩが付加された信号は、周波数変換等が施された後、ＯＦＤＭ信号送信装置１からＯＦＤＭ信号として送信される。
【００４３】
〔ピーク低減処理部２０〕
次に、図１に示したピーク低減処理部２０について詳細に説明する。図２は、ピーク低減処理部２０の構成例を示すブロック図である。このピーク低減処理部２０は、ピーク検出部２１、ピーク低減信号生成部２２、スケーリング部２３、遅延補正部２４、ＡＣ（Auxiliary Channel）埋め込み部２５及びＩＦＦＴ部２６を備えている。
【００４４】
ピーク検出部２１は、ＩＦＦＴ部１２から時間領域の信号ｓ（ｋ）を入力し、時間領域の信号ｓ（ｋ）に対し、１シンボル内の振幅が最大となる時間位置ｋ＝Ｐをピーク位置Ｐとして検出し、その時間位置Ｐの信号ｓ（Ｐ）をピーク値ｓ（Ｐ）として検出する。そして、ピーク検出部２１は、ピーク位置Ｐ及びピーク値ｓ（Ｐ）をピーク低減信号生成部２２に出力する。ピーク検出に関するアルゴリズムは、様々な手法が検討されている。ピーク検出部２１によるピーク位置Ｐ及びピーク値ｓ（Ｐ）の検出処理は既知であるから、ここでは詳細な説明を省略する。
【００４５】
ピーク低減信号生成部２２は、ピーク検出部２１からピーク位置Ｐ及びピーク値ｓ（Ｐ）を入力し、ピーク位置Ｐ及びピーク値ｓ（Ｐ）に基づいて、予め設定されたダミーデータ列Δ（ｎ）から、ピーク値ｓ（Ｐ）を打ち消すための打ち消し信号ｄ（ｋ）に変換可能な周波数領域の信号Ｄ（ｎ）を生成する。そして、ピーク低減信号生成部２２は、生成した周波数領域の信号Ｄ（ｎ）をピーク低減信号Ｄ（ｎ）としてスケーリング部２３に出力する。
【００４６】
図３は、ピーク低減信号生成部２２による処理の概要を説明する図である。図３に示すように、ピーク値ｓ（Ｐ）を打ち消すための時間領域の打ち消し信号ｄ（ｋ）を想定する。打ち消し信号ｄ（ｋ）は、時刻ｋ＝Ｐにおいてピーク値ｄ（Ｐ）を有し、これ以外の時間位置の信号が０に近い所定値とする信号である。
【００４７】
ピーク値ｓ（Ｐ）を有する時間領域の信号ｓ（ｋ）と、ピーク値ｄ（Ｐ）を有する打ち消し信号ｄ（ｋ）とを加算することにより（ｓ（ｋ）＋ｄ（ｋ）、同相の場合は減算することにより）、ピーク値ｄ（Ｐ）を低減することができる。つまり、打ち消し信号ｄ（ｋ）を用いることにより、時間領域の信号ｓ（ｋ）からピーク値ｄ（Ｐ）を低減することができ、ピーク値ｓ（Ｐ）が低減された信号ｓ’（ｋ）が得られる（図３の信号ｓ’（ｋ）における矢印の箇所αを参照）。
【００４８】
また、打ち消し信号ｄ（ｋ）にＦＦＴを施すことにより、ピーク低減信号Ｄ（ｎ）が生成される。例えば、ピーク低減信号生成部２２は、ピーク低減信号Ｄ（ｎ）を生成するために、予め設定されたダミーデータ列Δ（ｎ）から、ピーク値ｓ（Ｐ）を打ち消すための打ち消し信号ｄ（ｋ）を生成し、この打ち消し信号ｄ（ｋ）にＦＦＴを施してピーク低減信号Ｄ（ｎ）を生成する。ここで、ダミーデータ列Δ（ｎ）は、例えば、周波数軸上に適切に「１」が配置されたデータ列であり、「１」の代わりに、複素データを配置するようにしてもよい。
【００４９】
ピーク低減信号生成部２２により生成される周波数領域のピーク低減信号Ｄ（ｎ）は、図３の下部に示すとおりである。横軸は、周波数軸上のサブキャリア番号ｎを示し、縦軸は、周波数領域のピーク低減信号Ｄ（ｎ）を示す。ピーク低減信号Ｄ（ｎ）は、周波数領域の１シンボル長をＮサンプル（Ｎポイント）のサブキャリアからなり、サブキャリア番号ｎ＝０〜Ｍ−１のＭ個のサブキャリアが帯域内の領域である。図３の下部に示すように、サブキャリア番号ｎ＝０，・・・，Ｍ−１のサブキャリアには、例えば周波数軸上に「１」が配置されたダミーデータ列Δ（ｎ）に基づくデータであって、ピーク値ｓ（Ｐ）を打ち消すためのダミーデータが配置されている。
【００５０】
尚、図３の例では、ピーク低減信号Ｄ（ｎ）は、ＦＦＴ後の周波数領域でのキャリア配置において、１シンボル長のＮサンプル内に帯域外が設定されたＯＦＤＭ信号としているが、１シンボル長のＮサンプルの全てをサブキャリアとしたＯＦＤＭ信号であってもよい。
【００５１】
図２に戻って、スケーリング部２３は、ピーク低減信号生成部２２からピーク低減信号Ｄ（ｎ）を入力し、ピーク低減信号Ｄ（ｎ）を予め設定されたスケール値Ｃで除算し、除算結果であるスケーリング後のピーク低減信号Ｄ（ｎ）／ＣをＡＣ埋め込み部２５に出力する。
【００５２】
これにより、ピーク低減信号Ｄ（ｎ）のレベルが調整され、ピーク位置Ｐの打ち消し信号ｄ（Ｐ）の大きさが変化する。つまり、スケール値Ｃに応じて、時間領域の信号ｓ（ｋ）におけるピーク位置Ｐのピーク値ｓ（Ｐ）の低減量を調整することができる。
【００５３】
遅延補正部２４は、サブキャリア配置部１１から周波数領域の信号Ｓ（ｎ）を入力し、周波数領域の信号Ｓ（ｎ）を、ピーク検出部２１、ピーク低減信号生成部２２及びスケーリング部２３の処理時間分遅延させる。そして、遅延補正部２４は、遅延後の周波数領域の信号Ｓ（ｎ）をＡＣ埋め込み部２５に出力する。
【００５４】
これにより、遅延補正部２４により出力される遅延後の周波数領域の信号Ｓ（ｎ）と、スケーリング部２３により出力されるスケーリング後のピーク低減信号Ｄ（ｎ）／Ｃとの間でタイミングを合わせることができ、ＡＣ埋め込み部２５は、同期した周波数領域の信号Ｓ（ｎ）及びピーク低減信号Ｄ（ｎ）／Ｃを入力することができる。
【００５５】
ＡＣ埋め込み部２５は、スケーリング部２３から周波数領域のピーク低減信号Ｄ（ｎ）／Ｃを入力すると共に、遅延補正部２４から遅延後の周波数領域の信号Ｓ（ｎ）を入力する。そして、ＡＣ埋め込み部２５は、信号Ｓ（ｎ）のサブキャリアのうち、データが割り当てられていないＡＣ信号のサブキャリアに、ピーク低減信号Ｄ（ｎ）／ＣにおけるＡＣ信号と同じサブキャリアの位置のダミーデータを埋め込み、周波数領域の信号Ｓ’（ｎ）を生成する。ＡＣ埋め込み部２５は、周波数領域の信号Ｓ’（ｎ）をＩＦＦＴ部２６に出力する。
【００５６】
これにより、ピーク低減信号Ｄ（ｎ）／Ｃのダミーデータが、信号Ｓ（ｎ）のサブキャリアのうちデータが割り当てられていないサブキャリアにのみ埋め込まれる。この場合、埋め込まれたダミーデータは、全ての周波数成分のサブキャリアのダミーデータ（ピーク低減信号Ｄ（ｎ）／Ｃのダミーデータ）を再現した打ち消し信号ｄ（ｋ）に完全に対応するものではない。しかし、打ち消し信号ｄ（ｋ）の一部の周波数成分を用いて信号を合成することで、ある程度類似した信号を再現できることから、信号Ｓ（ｎ）における一部の周波数成分のサブキャリアに埋め込まれたダミーデータであっても、ピークを低減させるための信号として一定の効果を期待することができる。
【００５７】
ＩＦＦＴ部２６は、ＡＣ埋め込み部２５から周波数領域の信号Ｓ’（ｎ）を入力し、周波数領域の信号Ｓ’（ｎ）にＩＦＦＴを施し、時間領域の信号ｓ’（ｋ）を生成する。そして、ＩＦＦＴ部２６は、時間領域の信号ｓ’（ｋ）をＧＩ付加部１３に出力する。
【００５８】
このように、ピーク低減処理部２０により、ピーク位置Ｐ及びピーク値ｓ（Ｐ）、並びに予め設定されたダミーデータ列Δ（ｎ）に基づいて、ピーク値ｓ（Ｐ）を打ち消すための打ち消し信号ｄ（ｋ）に変換可能なピーク低減信号Ｄ（ｎ）が生成され、スケーリング後のピーク低減信号Ｄ（ｎ）／Ｃの一部が、周波数領域の信号Ｓ（ｎ）のうちデータが割り当てられていないＡＣ信号のサブキャリアに埋め込まれ、周波数領域の信号Ｓ’（ｎ）が生成されＩＦＦＴが施される。これにより、ＩＦＦＴ部２６におけるＩＦＦＴの処理を表した前記数式（１）において、時刻ｋ毎に、周波数領域の信号Ｓ（ｎ）に代わる信号Ｓ’（ｎ）及び指数関数ｅｘｐの乗算結果の位相が一致する程度を減らすことができるから、ある時刻ｋの時間領域の信号ｓ’（ｋ）における瞬時値のピークを低減することができる。
【００５９】
（ピーク低減信号生成部２２：実施例１）
図２において、実施例１のピーク低減信号生成部２２について説明する。実施例１のピーク低減信号生成部２２は、予め設定されたダミーデータ列Δ（ｎ）をＩＦＦＴしてダミー信号δ（ｋ）を算出し、ダミー信号δ（ｋ）に対し、ピーク位置Ｐの時間シフト及びピーク値ｓ（Ｐ）に基づいた位相の調整を施すことで、打ち消し信号ｄ（ｋ）を求め、打ち消し信号ｄ（ｋ）をＦＦＴしてピーク低減信号Ｄ（ｎ）を生成する。このピーク低減信号Ｄ（ｎ）をダミーデータとし、ＴＲ法を適用することにより、ＯＦＤＭ信号のピークを低減することができる。
【００６０】
図４は、実施例１のピーク低減信号生成部２２の構成例を示すブロック図であり、図５は、実施例１のピーク低減信号生成部２２の処理例を示すフローチャートであり、図６は、その処理例を説明する図である。この実施例１のピーク低減信号生成部２２−１は、ＩＦＦＴ手段３０、時間シフト手段３１、位相調整手段３２及びＦＦＴ手段３３を備えている。
【００６１】
まず、ピーク低減信号生成部２２−１は、ピーク検出部２１からピーク位置Ｐ及びピーク値ｓ（Ｐ）を入力する（ステップＳ５０１）。ＩＦＦＴ手段３０は、予め設定された周波数領域のダミーデータ列Δ（ｎ）にＩＦＦＴを施し、時間領域のダミー信号δ（ｋ）を生成する（ステップＳ５０２）。そして、ＩＦＦＴ手段３０は、時間領域のダミー信号δ（ｋ）を時間シフト手段３１に出力する。
【００６２】
前述のとおり、ダミーデータ列Δ（ｎ）は、周波数軸上に適切に「１」が配置されたデータ列であり、「１」の代わりに、複素データを配置するようにしてもよい。図６に示すように、時間領域のダミー信号δ（ｋ）は、時刻ｋ＝０〜Ｎ−１の１シンボルにおいて、時刻ｋ＝０にてピークを有する信号である。
【００６３】
周波数領域のダミーデータ列Δ（ｎ）を時間領域のダミー信号δ（ｋ）にＩＦＦＴにて変換する数式は、以下のとおりである。
【数２】
0006641154.tif 000003
【００６４】
時間シフト手段３１は、ＩＦＦＴ手段３０から時間領域のダミー信号δ（ｋ）を入力すると共に、ピーク位置Ｐを入力し、ダミー信号δ（ｋ）の時刻ｋをピーク位置Ｐの時間分シフトし、ダミー信号δ（ｋ−Ｐ）＝δ’（ｋ）を生成する（ステップＳ５０３）。そして、時間シフト手段３１は、ピーク位置Ｐの時間分シフトした時間領域のダミー信号δ’（ｋ）を位相調整手段３２に出力する。
【００６５】
図６に示すように、時間領域のダミー信号δ’（ｋ）は、ダミー信号δ（ｋ）に対してピーク位置Ｐの時間分シフトした信号であり、時間位置Ｐにピークを有する信号となる。
【００６６】
位相調整手段３２は、時間シフト手段３１から時間領域のダミー信号δ’（ｋ）を入力すると共に、ピーク値ｓ（Ｐ）を入力する。そして、位相調整手段３２は、ピーク値ｓ（Ｐ）の位相と、打ち消し信号ｄ（Ｐ）（位相調整後の生成すべき打ち消し信号ｄ（ｋ）における打ち消し信号ｄ（Ｐ））の位相とが同じになるように（ｓ（Ｐ）＝ｄ（Ｐ））、ダミー信号δ’（ｋ）の位相を（位相θだけ）調整して（回転させて）打ち消し信号ｄ（ｋ）を生成する（ステップＳ５０４）。位相調整手段３２は、時間領域の打ち消し信号ｄ（ｋ）をＦＦＴ手段３３に出力する。
【００６７】
図６に示すように、時間領域の打ち消し信号ｄ（ｋ）は、ピーク値ｓ（Ｐ）が打ち消し信号ｄ（Ｐ）と同じになるように（ｓ（Ｐ）＝ｄ（Ｐ））、ダミー信号δ’（ｋ）の位相を調整した信号であり、時間位置Ｐにピークを有する信号となる。
【００６８】
ダミー信号δ（ｋ）に対し、ピーク位置Ｐの時間シフトを行い、ピーク値ｓ（Ｐ）と同じになるように位相θの位相調整を行って打ち消し信号ｄ（ｋ）を生成する数式は、以下のとおりである。
【数３】
0006641154.tif 000004
【００６９】
前記数式（３）から、打ち消し信号ｄ（ｋ）とピーク低減信号Ｄ（ｎ）とは、ピーク低減信号Ｄ（ｎ）をＩＦＦＴすることにより打ち消し信号ｄ（ｋ）が得られる関係にあることがわかる。
【００７０】
ＦＦＴ手段３３は、位相調整手段３２から打ち消し信号ｄ（ｋ）を入力し、打ち消し信号ｄ（ｋ）にＦＦＴを施し、周波数領域のピーク低減信号Ｄ（ｎ）を生成し（ステップＳ５０５）、周波数領域のピーク低減信号Ｄ（ｎ）をスケーリング部２３に出力する（ステップＳ５０６）。
【００７１】
尚、スケーリング部２３は、ＦＦＴ手段３３により生成されたピーク低減信号Ｄ（ｎ）を入力し、スケール値Ｃを用いて、ピーク低減信号Ｄ（ｎ）のレベルを調整する。これにより、以下の式のとおり、打ち消し信号ｄ（ｋ）におけるピーク位置Ｐの打ち消し信号ｄ（Ｐ）の大きさを変化させることができ、信号ｓ（ｋ）におけるピーク位置Ｐの信号ｓ（Ｐ）を低減させることができる。スケール値Ｃは、定数として予め設定される以外にも、ボリウムのような可変機構によって逐次変化させることも可能である。
【数４】
0006641154.tif 000005
【００７２】
以上のように、実施例１のピーク低減信号生成部２２−１を備えたピーク低減処理部２０によれば、ピーク低減信号生成部２２−１のＩＦＦＴ手段３０は、周波数軸上に適切に「１」が配置されたダミーデータ列Δ（ｎ）にＩＦＦＴを施し、時刻ｋ＝０にてピークを有するダミー信号δ（ｋ）を生成し、時間シフト手段３１は、ダミー信号δ（ｋ）の時刻ｋを、送信対象のデータをＩＦＦＴして得られたＯＦＤＭ信号のピーク位置Ｐの時間分シフトし、時間位置Ｐにピークを有する新たなダミー信号δ’（ｋ）を生成する。
【００７３】
位相調整手段３２は、送信対象のデータをＩＦＦＴして得られたＯＦＤＭ信号のピーク値ｓ（Ｐ）の位相と打ち消し信号ｄ（Ｐ）の位相とが同じになるように（ｓ（Ｐ）＝ｄ（Ｐ））、ダミー信号δ’（ｋ）の位相を（位相θだけ）調整して（回転させて）打ち消し信号ｄ（ｋ）を生成する。そして、ＦＦＴ手段３３は、打ち消し信号ｄ（ｋ）にＦＦＴを施し、ピーク低減信号Ｄ（ｎ）を生成する。
【００７４】
このようにして、実施例１のピーク低減信号生成部２２−１により、ダミーデータ列Δ（ｎ）から時刻ｋ＝０にピークを有するダミー信号δ（ｋ）が生成され、ピーク位置Ｐ及びピーク位置ｓ（Ｐ）に基づき、ピーク値ｓ（Ｐ）を打ち消すためのピーク低減信号Ｄ（ｎ）が生成される。
【００７５】
そして、スケーリング部２３は、ピーク低減信号Ｄ（ｎ）をスケール値Ｃで除算することでスケーリングし、そのレベルを調整したピーク低減信号Ｄ（ｎ）／Ｃを生成し、ＡＣ埋め込み部２５は、送信対象のデータをＩＦＦＴ及び所定時間遅延して得られたＯＦＤＭ信号Ｓ（ｎ）のサブキャリアのうち、データが割り当てられていないＡＣ信号のサブキャリアに、ピーク低減信号Ｄ（ｎ）／Ｃのダミーデータを埋め込み、信号Ｓ’（ｎ）を生成し、ＩＦＦＴ部２６は、信号Ｓ’（ｎ）にＩＦＦＴを施し、ピークが低減された時間領域の信号ｓ’（ｋ）を生成する。
【００７６】
これにより、ＯＦＤＭ信号Ｓ（ｎ）のデータは操作されずにそのまま使用されるから、ピーク低減処理によりＥＶＭは劣化することがない。特に、データが割り当てられていないサブキャリアに埋め込まれるダミー信号（ピーク低減信号Ｄ（ｎ）／Ｃ）は、ピーク位置Ｐ及びピーク値ｓ（Ｐ）に基づいて生成され、かつ、ピークの低減量を調整するためのスケール値Ｃで調整されているから、当該ダミー信号を用いることで、ＥＶＭの劣化を効果的に抑えることが可能となる。
【００７７】
（ピーク低減信号生成部２２：実施例２）
次に、図２において、実施例２のピーク低減信号生成部２２について説明する。実施例２は、実施例１における複素演算の処理を、複素演算を用いない処理に代替するものである。実施例２のピーク低減信号生成部２２は、位相変換テーブルに格納された位相データを用いて、予め設定されたダミーデータ列Δ（ｎ）の位相を、ピーク位置Ｐ及びピーク値ｓ（Ｐ）に応じて回転させ、ピーク低減信号Ｄ（ｎ）を直接生成する。このピーク低減信号Ｄ（ｎ）をダミーデータとし、ＴＲ法を適用することにより、ＯＦＤＭ信号のピークを低減することができる。また、実施例２は、実施例１と比較して、ピーク低減信号Ｄ（ｎ）の計算量を低減することができる。
【００７８】
図７は、実施例２のピーク低減信号生成部２２の構成例を示すブロック図である。この実施例２のピーク低減信号生成部２２−２は、信号生成手段４０及びメモリ４１を備えている。
【００７９】
信号生成手段４０は、ピーク検出部２１からピーク位置Ｐ及びピーク値ｓ（Ｐ）を入力すると共に、予め設定されたダミーデータ列Δ（ｎ）（例えば、周波数軸上に「１」が配置されたデータ列）を入力する。そして、信号生成手段４０は、メモリ４１に格納された位相変換テーブルの位相データを用いて、ダミーデータ列Δ（ｎ）の位相を、ピーク位置Ｐ及びピーク値ｓ（Ｐ）に応じて回転させ、ピーク低減信号Ｄ（ｎ）を生成する。信号生成手段４０は、ピーク低減信号Ｄ（ｎ）をスケーリング部２３に出力する。
【００８０】
前記数式（３）より、ピーク低減信号Ｄ（ｎ）と、ダミーデータ列Δ（ｎ）、ピーク位置Ｐ及び位相θとの関係は、以下の数式にて表される。ｎ＝０〜Ｎ−１とする。尚、位相θは、ピーク値ｓ（Ｐ）の位相と、ピーク低減信号Ｄ（ｎ）をＩＦＦＴして得られる打ち消し信号ｄ（ｋ）におけるピーク位置Ｐの打ち消し信号ｋ（Ｐ）の位相とが同じになるように、信号ｓ（ｋ）を回転させた位相である。
【数５】
0006641154.tif 000006
【００８１】
つまり、信号生成手段４０は、ダミーデータ列Δ（ｎ）と、ピーク位置Ｐと、ピーク値ｓ（Ｐ）から得られる位相θとを用いて、前記数式（５）にて、ピーク低減信号Ｄ（ｎ）を算出することができる。
【００８２】
前記数式（５）から、ピーク低減信号Ｄ（ｎ）は、ダミーデータ列Δ（ｎ）の位相を、（（−２πｎ／Ｎ）×Ｐ））回転させた後、さらに、θだけ回転させた信号であるといえる（後述する実施例２−１）。また、ピーク低減信号Ｄ（ｎ）は、ダミーデータ列Δ（ｎ）の位相を、（（−２πｎ／Ｎ）×Ｐ＋θ）回転させた信号であるともいえる（後述する実施例２−２）。
【００８３】
ここで、ピーク位置Ｐがシンボル毎に変化することに対応するため、メモリ４１に、全てのピーク位置Ｐ＝０〜Ｎ−１について、指数演算を反映した位相データ（ｎ＝０〜Ｎ−１の位相データ）を予め格納しておくことにより、信号生成手段４０は、メモリ４１からピーク位置Ｐに応じた位相データを読み出し、ピーク低減信号Ｄ（ｎ）を生成することができる。
【００８４】
しかしながら、全てのピーク位置Ｐについての位相データをメモリ４１に用意することは、メモリ４１の容量を極度に増大させることになるから、その実現は困難である。
【００８５】
そこで、本発明の実施形態では、メモリ４１に、１シンボルがＮサンプルからなる場合のＰ＝１のときの各ポイントの位相データのみを格納しておくことにより、メモリ容量を少なくする。Ｎは正の整数である。
【００８６】
メモリ４１には、位相変換テーブルが格納され、位相変換テーブルには、１シンボルがＮサンプルからなる場合のＰ＝１のときの各ポイントの位相データ（０，２π／Ｎ，２π×２／Ｎ，・・・，２π（Ｎ−１）／Ｎ）のみが格納されている。各ポイントの位相データは、０から２πまでの間（０以上２π未満）を１回転する場合の位相２πｎ／Ｎ（ｎ＝０〜Ｎ−１）である。
【００８７】
図８は、実施例２において、メモリ４１に格納されたデータを説明する図である。メモリ４１の位相変換テーブルには、ピーク位置Ｐ＝１の場合の位相回転量（−ｊ×（２πｎ／Ｎ）×Ｐ）（前記数式（５）の右辺において第２項の指数関数）に相当する位相、すなわち、１シンボルがＮサンプルからなる場合の各ポイントの位相データが格納されている。
【００８８】
アドレス１にはＰ＝１，ｎ＝０のときの位相データ０（実部データDr_0，虚部データDi_0）、アドレス２にはＰ＝１，ｎ＝１のときの位相データ２π／Ｎ（実部データDr_1，虚部データDi_1）、・・・、アドレスＮにはＰ＝１，ｎ＝Ｎ−１のときの位相データ２π（Ｎ−１）／Ｎ（実部データDr_N-1，虚部データDi_N-1）がそれぞれ格納されている。
【００８９】
尚、メモリ４１に格納された位相変換テーブルの位相データは、図８に示した実部及び虚部のデータであってもよいし、０から２πまでの位相２πｎ／Ｎ（ｎ＝０〜Ｎ−１）であってもよい。
【００９０】
（実施例２−１のピーク低減信号生成部２２−２）
第１のピーク低減信号生成部２２−２（実施例２−１のピーク低減信号生成部２２）について説明する。実施例２−１のピーク低減信号生成部２２−２は、メモリ４１に格納された位相変換テーブルの位相データを用いて、ダミーデータ列Δ（ｎ）の位相を、ピーク位置Ｐに応じて（−２πｎ／Ｎ）回転させ、そして、回転後の位相を、さらにピーク値ｓ（Ｐ）に応じてθだけ回転させることで、ピーク低減信号Ｄ（ｎ）を生成する。
【００９１】
図９は、実施例２−１のピーク低減信号生成部２２−２の構成例を示すブロック図であり、図１０は、実施例２−１のピーク低減信号生成部２２−２の処理例を示すフローチャートである。図１１（１）は、ピーク位置Ｐ＝２の位相データの例を示す図であり、図１１（２）は、ピーク位置Ｐ＝３の位相データの例を示す図である。
【００９２】
この実施例２−１のピーク低減信号生成部２２−２は、信号生成手段４０−１及びメモリ４１を備えている。信号生成手段４０−１は、時間シフト段４２、位相特定段４３及び位相調整段４４を備えている。
【００９３】
ピーク低減信号生成部２２−２は、ピーク検出部２１からピーク位置Ｐ及びピーク値ｓ（Ｐ）を入力する（ステップＳ１００１）。時間シフト段４２は、ピーク位置Ｐに基づいて、メモリ４１に格納された位相変換テーブルから位相データを読み出す際のｎ毎の読み出し位置（アドレス）を特定する（ステップＳ１００２）。
【００９４】
例えば、時間シフト段４２は、ピーク位置Ｐ＝１の場合、ｎ＝０〜Ｎ−１に対応して、読み出し位置（アドレス）１〜Ｎを特定する。また、時間シフト段４２は、ピーク位置Ｐ＝２の場合、ｎ＝０〜Ｎ−１に対応して、連続したアドレス１〜Ｎのうち１つ毎飛ばした奇数の読み出し位置（アドレス）１，３，・・・，Ｎ−１，１，３，・・・を特定する。また、時間シフト段４２は、ピーク位置Ｐ＝３の場合、ｎ＝０〜Ｎ−１に対応して、連続したアドレス１〜Ｎのうち２つ毎飛ばした読み出し位置（アドレス）１，４，・・・，Ｎ−２，２，５，・・・，Ｎ−１，３，６，・・・を特定する。
【００９５】
このように、時間シフト段４２は、ピーク位置Ｐ＝ｐ（ｐは１以上の整数）の場合、ｎ＝０〜Ｎ−１に対応して、連続したアドレス１〜Ｎのうちｐ−１毎飛ばした読み出し位置（アドレス）を特定する。
【００９６】
そして、時間シフト段４２は、メモリ４１に格納された位相変換テーブルから、特定した読み出し位置（アドレス）の位相データを読み出す（ステップＳ１００３）。ここで、メモリ４１に格納された位相変換テーブルから読み出された位相データは、前記数式（５）において、第２項の指数関数に相当する。
【００９７】
例えば、ピーク位置Ｐ＝１の場合、位相データは、ｎ＝０〜Ｎ−１に対応して、特定された読み出し位置（アドレス）１〜Ｎから順番に読み出される。
【００９８】
また、例えば、ピーク位置Ｐ＝２の場合、図１１（１）に示すように、位相データは、ｎ＝０〜Ｎ−１に対応して、連続したアドレス１〜Ｎのうち１つ毎飛ばした奇数の読み出し位置（アドレス）１，３，・・・，１，３，・・・から順次読み出される。この場合、時間シフト段４２は、メモリ４１に格納された位相変換テーブルのアドレス１〜Ｎを２回スキャンし、奇数の読み出し位置（アドレス）１，３，・・・，１，３，・・・の位相データを順次読み出す。
【００９９】
また、例えば、ピーク位置Ｐ＝３の場合、図１１（２）に示すように、位相データは、ｎ＝０〜Ｎ−１に対応して、連続したアドレス１〜Ｎのうち２つ毎飛ばした読み出し位置（アドレス）１，４，・・・，２，５，・・・，３，６，・・・から順次読み出される。この場合、時間シフト段４２は、メモリ４１に格納された位相変換テーブルのアドレス１〜Ｎを３回スキャンし、読み出し位置（アドレス）１，４，・・・，２，５，・・・，３，６，・・・の位相データを順次読み出す。
【０１００】
つまり、ピーク位置Ｐ＝ｐの場合、位相データは、ｎ＝０〜Ｎ−１に対応して、連続したアドレス１〜Ｎのうちｐ−１毎飛ばした読み出し位置（アドレス）から順次読み出される。この場合、時間シフト段４２は、メモリ４１に格納された位相変換テーブルのアドレス１〜Ｎをｐ−１回スキャンし、読み出し位置（アドレス）の位相データを順次読み出す。
【０１０１】
時間シフト段４２は、周波数軸上に「１」が配置されたダミーデータ列Δ（ｎ）の位相を、読み出した位相データの位相だけ調整し（回転させ）、時間シフト信号Ｄ１（ｎ）を生成する（ステップＳ１００４）。そして、時間シフト段４２は、時間シフト信号Ｄ１（ｎ）を位相調整段４４に出力する。
【０１０２】
すなわち、時間シフト段４２は、ダミーデータ列Δ（ｎ）に位相データを乗算することで（前記数式（５）の右辺において、第１項のΔ（ｎ）に第２項の指数関数を乗算する処理を行うことで）、ダミーデータ列Δ（ｎ）の位相を位相データの位相だけ回転させ、時間シフト信号Ｄ１（ｎ）を生成する。
【０１０３】
位相特定段４３は、ピーク値ｓ（Ｐ）の実部及び虚部のデータに基づいて、位相θを特定する（ステップＳ１００５）。そして、位相特定段４３は、位相θを位相調整段４４に出力する。
【０１０４】
位相調整段４４は、時間シフト信号Ｄ１（ｎ）の位相を、特定した位相θだけ調整し（回転させ）、ピーク低減信号Ｄ（ｎ）を生成する（ステップＳ１００６）。そして、位相調整段４４は、ピーク低減信号Ｄ（ｎ）をスケーリング部２３に出力する（ステップＳ１００７）。
【０１０５】
ここで、位相θだけ回転させる処理は、前記数式（５）において、第３項の指数関数に相当する。すなわち、位相調整段４４は、時間シフト信号Ｄ１（ｎ）に位相データを乗算することで（前記数式（５）の右辺の演算を行うことで）、時間シフト信号Ｄ１（ｎ）の位相を位相データの位相だけ回転させ、ピーク低減信号Ｄ（ｎ）を生成する。
【０１０６】
尚、図９において、時間シフト段４２と位相特定段４３及び位相調整段４４とを逆に配置するように構成してもよい。この場合、図１０において、時間シフト段４２によるステップＳ１００２〜ステップＳ１００４の処理と、位相特定段４３によるステップＳ１００５の処理及び位相調整段４４によるステップＳ１００６の処理とを逆の順番とし、時間シフト段４２が、ピーク低減信号Ｄ（ｎ）をスケーリング部２３に出力する。
【０１０７】
以上のように、実施例２−１のピーク低減信号生成部２２−２を備えたピーク低減処理部２０によれば、メモリ４１には、１シンボルがＮサンプルからなる場合の各ポイントの位相データ（０，２π／Ｎ，２π×２／Ｎ，・・・，２π（Ｎ−１）／Ｎ）を含む位相変換テーブルが格納されている。ピーク低減信号生成部２２−２の時間シフト段４２は、送信対象のデータをＩＦＦＴして得られたＯＦＤＭ信号のピーク位置Ｐに基づき、メモリ４１の位相変換テーブルから位相データを読み出す際のｎ毎の読み出し位置（アドレス）として、ピーク位置Ｐ＝ｐの場合、ｎ＝０〜Ｎ−１に対応して、連続したアドレス１〜Ｎのうちｐ−１毎飛ばした読み出し位置（アドレス）を特定し、メモリ４１の位相変換テーブルから、特定した読み出し位置（アドレス）の位相データを読み出す。そして、時間シフト段４２は、ダミーデータ列Δ（ｎ）の位相を、読み出した位相データの位相だけ調整し（回転させ）、時間シフト信号Ｄ１（ｎ）を生成する。
【０１０８】
位相特定段４３は、ピーク値ｓ（Ｐ）に基づいて、位相θを特定し、位相調整段４４は、時間シフト信号Ｄ１（ｎ）の位相を位相θだけ調整し（回転させ）、ピーク低減信号Ｄ（ｎ）を生成する。
【０１０９】
このようにして、実施例２−１のピーク低減信号生成部２２−２により、メモリ４１の位相変換テーブルを用いて、ダミーデータ列Δ（ｎ）の位相がピーク位置Ｐに応じて回転し、そして、回転後の位相がさらにピーク値ｓ（Ｐ）に応じて位相θ分回転することで、ピーク値ｓ（Ｐ）を打ち消すためのピーク低減信号Ｄ（ｎ）が生成される。
【０１１０】
そして、スケーリング部２３は、ピーク低減信号Ｄ（ｎ）のレベルを調整したピーク低減信号Ｄ（ｎ）／Ｃを生成し、ＡＣ埋め込み部２５は、送信対象のデータをＩＦＦＴ及び所定時間遅延して得られたＯＦＤＭ信号Ｓ（ｎ）のサブキャリアのうち、データが割り当てられていないＡＣ信号のサブキャリア位置に、ピーク低減信号Ｄ（ｎ）／Ｃのダミーデータを埋め込み、信号Ｓ’（ｎ）を生成し、ＩＦＦＴ部２６は、信号Ｓ’（ｎ）にＩＦＦＴを施し、ピークが低減された時間領域の信号ｓ’（ｋ）を生成する。
【０１１１】
これにより、実施例１と同様の効果を奏する。すなわち、ＯＦＤＭ信号Ｓ（ｎ）のデータは操作されずにそのまま使用されるから、ピーク低減処理によりＥＶＭは劣化することがない。特に、ダミー信号（ピーク低減信号Ｄ（ｎ）／Ｃ）は、ピーク位置Ｐ及びピーク値ｓ（Ｐ）に基づいて生成され、かつ、ピークの低減量を調整するためのスケール値Ｃで調整されているから、当該ダミー信号を用いることで、ＥＶＭの劣化を効果的に抑えることが可能となる。
【０１１２】
また、メモリ４１に格納された位相変換テーブルは、ピーク位置Ｐの値に関係なく、固定のテーブルとして使用される。したがって、位相変換テーブルに、全てのピーク位置Ｐの位相データを定義しておく必要がないから、メモリ容量が少なくて済む。
【０１１３】
（実施例２−２のピーク低減信号生成部２２−２）
第２のピーク低減信号生成部２２−２（実施例２−２のピーク低減信号生成部２２）について説明する。実施例２−２のピーク低減信号生成部２２−２は、メモリ４１に格納された位相変換テーブルの位相データを用いて、ダミーデータ列Δ（ｎ）の位相を、ピーク位置Ｐ及びピーク値ｓ（Ｐ）に応じて（（−２πｎ／Ｎ）×Ｐ＋θ）回転させることで、ピーク低減信号Ｄ（ｎ）を生成する。
【０１１４】
図１２は、実施例２−２のピーク低減信号生成部２２−２の構成例を示すブロック図であり、図１３は、実施例２−２のピーク低減信号生成部２２−２の処理例を示すフローチャートである。図１４（１）は、ピーク位置Ｐ＝１の場合の位相データを示す図であり、図１４（２）は、ピーク位置Ｐ＝１及び位相θの調整がされた場合の位相データを示す図であり、図１４（３）は、ピーク位置Ｐ＝１及び位相θの調整がされた場合の（２）の説明を補充する図である。
【０１１５】
この実施例２−２のピーク低減信号生成部２２−２は、信号生成手段４０−２及びメモリ４１を備えている。信号生成手段４０−２は、位相特定段４３及び時間シフト及び位相調整段４５を備えている。
【０１１６】
ピーク低減信号生成部２２−２は、ピーク検出部２１からピーク位置Ｐ及びピーク値ｓ（Ｐ）を入力する（ステップＳ１３０１）。位相特定段４３は、ピーク値ｓ（Ｐ）の実部及び虚部のデータに基づいて、位相θを特定する（ステップＳ１３０２）。そして、位相特定段４３は、位相θを時間シフト及び位相調整段４５に出力する。
【０１１７】
時間シフト及び位相調整段４５は、位相特定段４３から位相θを入力する。また、時間シフト及び位相調整段４５は、ピーク位置Ｐに基づいて、メモリ４１に格納された位相変換テーブルから位相データを読み出す際のｎ毎の読み出し位置（アドレス）を特定する（ステップＳ１３０３）。
【０１１８】
具体的には、時間シフト及び位相調整段４５は、図９に示した時間シフト段４２と同様に、例えば、ピーク位置Ｐ＝１の場合、ｎ＝０〜Ｎ−１に対応して読み出し位置（アドレス）１〜Ｎを特定し、ピーク位置Ｐ＝２の場合、ｎ＝０〜Ｎ−１に対応して１つ毎飛ばした読み出し位置を特定し、ピーク位置Ｐ＝３の場合、ｎ＝０〜Ｎ−１に対応して２つ毎飛ばした読み出し位置（アドレス）を特定する。
【０１１９】
時間シフト及び位相調整段４５は、位相θに基づいて、特定したｎ毎の読み出し位置（アドレス）の全てをシフト（変更）する（ステップＳ１３０４）。具体的には、時間シフト及び位相調整段４５は、特定したｎ毎の読み出し位置（アドレス）について、θＮ／（２π）分シフトする。
【０１２０】
例えば、図１４（１）に示すように、ピーク位置Ｐ＝１の場合の位相データにおいて、位相θに相当する周波数をシフトすることで、図１４（２）に示すように、ピーク位置Ｐ＝１及び位相θの調整がされた位相データが得られる。図１４（２）の周波数軸におけるｎ＝０の位置は、図１４（１）の周波数軸におけるｎ＝０の位置を、位相θに相当する分だけ右（または左）へずらすことで得られる。
【０１２１】
つまり、位相θの調整は、１シンボル内において一定量の位相を操作すればよいから、メモリ４１の読み出し位置（アドレス）、すなわち読み出し開始位置（最初に読み出す位置、ｎ＝０の位置）を位相θに応じて変更することにより、任意の位相θの調整が可能となる。
【０１２２】
図１４（３）に示すように、図１３のステップＳ１３０３の処理にて、ピーク位置Ｐ＝１に基づいて、ｎ＝０のときの読み出し位置（アドレス）（読み出し開始位置）＝１、ｎ＝１のときの読み出し位置（アドレス）＝２、ｎ＝２のときの読み出し位置（アドレス）＝３、ｎ＝３のときの読み出し位置（アドレス）＝４、ｎ＝４のときの読み出し位置（アドレス）＝５、・・・、ｎ＝Ｎ−１のときの読み出し位置（アドレス）＝Ｎが特定されたとする。
【０１２３】
この場合、図１３のステップＳ１３０２の処理にて、既に位相θ＝４π／Ｎが特定されているものとする。図１４（３）に示すように、図１３のステップＳ１３０４の処理にて、位相θに対応してシフトされるべき読み出し位置（アドレス）量をθＮ／（２π）＝３とすると、シフト後の読み出し位置（アドレス）は、ｎ＝０のときの読み出し位置（アドレス）（読み出し開始位置）＝４、ｎ＝１のときの読み出し位置（アドレス）＝５、・・・、ｎ＝Ｎ−４のときの読み出し位置（アドレス）＝Ｎ、ｎ＝Ｎ−３のときの読み出し位置（アドレス）＝１、ｎ＝Ｎ−２のときの読み出し位置（アドレス）＝２、ｎ＝Ｎ−１のときの読み出し位置（アドレス）＝３となる。
【０１２４】
時間シフト及び位相調整段４５は、メモリ４１に格納された位相変換テーブルから、シフト後の読み出し位置（アドレス）の位相データを読み出す（ステップＳ１３０５）。メモリ４１に格納された位相変換テーブルから読み出された位相データは、前記数式（５）において、第２項の指数関数及び第３項の指数関数の乗算結果に相当する。
【０１２５】
時間シフト及び位相調整段４５は、例えば周波数軸上に適切に「１」が配置されたダミーデータ列Δ（ｎ）の位相を、読み出した位相データの位相だけ調整し（回転させ）、ピーク低減信号Ｄ（ｎ）を生成する（ステップＳ１３０６）。そして、時間シフト及び位相調整段４５は、ピーク低減信号Ｄ（ｎ）をスケーリング部２３に出力する（ステップＳ１３０７）。
【０１２６】
すなわち、時間シフト及び位相調整段４５は、ダミーデータ列Δ（ｎ）に位相データを乗算することで（前記数式（５）の右辺の演算を行うことで）、ダミーデータ列Δ（ｎ）の位相を位相データの位相だけ回転させ、ピーク低減信号Ｄ（ｎ）を生成する。これにより、複雑な複素演算を行うことなく、ピーク低減信号Ｄ（ｎ）が生成される。
【０１２７】
尚、図１３において、時間シフト及び位相調整段４５によるステップＳ１３０３の処理とステップＳ１３０４の処理とを逆の順番としてもよい。この場合、時間シフト及び位相調整段４５は、位相θに基づいて、読み出し位置のシフト量（読み出し開始位置）を求め、ピーク位置Ｐに基づいて読み出し位置を求め、読み出し位置からシフト量をシフトした新たな読み出し位置を特定する。
【０１２８】
以上のように、実施例２−２のピーク低減信号生成部２２−２を備えたピーク低減処理部２０によれば、メモリ４１には、１シンボルがＮサンプルからなる場合の各ポイントの位相データ（０，２π／Ｎ，２π×２／Ｎ，・・・，２π（Ｎ−１）／Ｎ）を含む位相変換テーブルが格納されている。ピーク低減信号生成部２２−２の位相特定段４３は、ピーク値ｓ（Ｐ）に基づいて、位相θを特定する。
【０１２９】
時間シフト及び位相調整段４５は、送信対象のデータをＩＦＦＴして得られたＯＦＤＭ信号のピーク位置Ｐに基づき、メモリ４１の位相変換テーブルから位相データを読み出す際のｎ毎の読み出し位置（アドレス）として、ピーク位置Ｐ＝ｐの場合、ｎ＝０〜Ｎ−１に対応して、連続したアドレス１〜Ｎのうちｐ−１毎飛ばした読み出し位置（アドレス）を特定し、位相θに基づいて、特定したｎ毎の読み出し位置（アドレス）の全てをシフト（変更）する。そして、時間シフト及び位相調整段４５は、メモリ４１の位相変換テーブルから、シフト後の読み出し位置（アドレス）の位相データを読み出し、ダミーデータ列Δ（ｎ）の位相を、読み出した位相データの位相だけ調整し（回転させ）、ピーク低減信号Ｄ（ｎ）を生成する。
【０１３０】
このようにして、実施例２−２のピーク低減信号生成部２２−２により、メモリ４１の位相変換テーブルを用いて、ダミーデータ列Δ（ｎ）の位相がピーク位置Ｐ及びピーク値ｓ（Ｐ）に応じて回転し、ピーク低減信号Ｄ（ｎ）が生成される。
【０１３１】
そして、スケーリング部２３は、ピーク低減信号Ｄ（ｎ）のレベルを調整したピーク低減信号Ｄ（ｎ）／Ｃを生成し、ＡＣ埋め込み部２５は、送信対象のデータをＩＦＦＴ及び所定時間遅延して得られたＯＦＤＭ信号Ｓ（ｎ）のサブキャリアのうち、データが割り当てられていないＡＣ信号のサブキャリアに、ピーク低減信号Ｄ（ｎ）／Ｃのダミーデータを埋め込み、信号Ｓ’（ｎ）を生成し、ＩＦＦＴ部２６は、信号Ｓ’（ｎ）にＩＦＦＴを施し、ピークが低減された時間領域の信号ｓ’（ｋ）を生成する。
【０１３２】
これにより、実施例２−１と同様の効果を奏する。すなわち、ＥＶＭの劣化を効果的に抑えることができると共に、位相変換テーブルを格納するメモリ４１のメモリ容量が少なくて済む。
【０１３３】
特に、実施例２−２のピーク低減信号生成部２２−２は、メモリ４１の位相変換テーブルを用いて、ダミーデータ列Δ（ｎ）の位相を、ピーク位置Ｐ及びピーク値ｓ（Ｐ）に応じて回転させ、ピーク低減信号Ｄ（ｎ）を直接生成するようにした。これにより、複雑な複素演算を行うことなく、ピーク低減信号Ｄ（ｎ）を生成することができる。
【０１３４】
これに対し、図４に示した実施例１のピーク低減信号生成部２２−１では、時間シフト手段３１及び位相調整手段３２において複素演算が行われる。つまり、実施例２−２のピーク低減信号生成部２２−２は、実施例１のピーク低減信号生成部２２−１に比べ、計算コストを低減することができる。
【０１３５】
したがって、実施例２−２のピーク低減信号生成部２２−２では、必要以上にメモリを消費することなく、ピーク低減信号Ｄ（ｎ）を生成する際の計算コストを低減することができる。
【０１３６】
以上、実施形態を挙げて本発明を説明したが、本発明は前記実施形態に限定されるものではなく、その技術思想を逸脱しない範囲で種々変形可能である。例えば、図２に示したＡＣ埋め込み部２５は、周波数領域の信号Ｓ（ｎ）のサブキャリアのうち、データが割り当てられていないＡＣ信号のサブキャリアに、ピーク低減信号Ｄ（ｎ）／Ｃのダミーデータを埋め込むようにした。本発明は、ピーク低減信号Ｄ（ｎ）／Ｃのダミーデータを埋め込むサブキャリアを、ＡＣ信号のサブキャリアに限定するものではなく、ＡＣ信号のサブキャリアの一部であってもよく、また、データが割り当てられていないサブキャリアであって、ＡＣ信号のサブキャリア以外の位置であってもよい。
【０１３７】
尚、図１に示したＯＦＤＭ信号送信装置１のデータマッピング部１０からＧＩ付加部１３までの各構成部の処理は、ＯＦＤＭ信号送信装置１に搭載される集積回路であるＬＳＩのチップにより実現されるようにしてもよい。これらは、個別に１チップ化されていてもよいし、これらの一部または全部が１チップ化されていてもよい。
【０１３８】
また、ＯＦＤＭ信号送信装置１のピーク低減処理部２０におけるピーク検出部２１からＩＦＦＴ部２６までの処理も、ＯＦＤＭ信号送信装置１に搭載される集積回路であるＬＳＩのチップにより実現されるようにしてもよい。これらは、個別に１チップ化されていてもよいし、これらの一部または全部が１チップ化されていてもよい。例えば、ピーク低減信号生成部２２が１チップ化されていてもよい。
【０１３９】
また、ＬＳＩの代わりに、集積度の異なるＶＬＳＩ、ＵＬＳＩ等のチップにより実現されるようにしてもよい。さらに、ＬＳＩ等のチップに限るものではなく、専用回路または汎用プロセッサを用いるようにしてもよいし、ＦＰＧＡ（Field Programmable Gate Array）を用いるようにしてもよい。
【符号の説明】
【０１４０】
１，１００  ＯＦＤＭ信号送信装置
１０  データマッピング部
１１  サブキャリア配置部
１２  ＩＦＦＴ部
１３  ＧＩ付加部
２０  ピーク低減処理部
２１  ピーク検出部
２２  ピーク低減信号生成部
２３  スケーリング部
２４  遅延補正部
２５  ＡＣ埋め込み部
２６  ＩＦＦＴ部
３０  ＩＦＦＴ手段
３１  時間シフト手段
３２  位相調整手段
３３  ＦＦＴ手段
４０  信号生成手段
４１  メモリ
４２  時間シフト段
４３  位相特定段
４４  位相調整段
４５  時間シフト及び位相調整段
【図１】
0006641154.tif 000007
【図２】
0006641154.tif 000008
【図３】
0006641154.tif 000009
【図４】
0006641154.tif 000010
【図５】
0006641154.tif 000011
【図６】
0006641154.tif 000012
【図７】
0006641154.tif 000013
【図８】
0006641154.tif 000014
【図９】
0006641154.tif 000015
【図１０】
0006641154.tif 000016
【図１１】
0006641154.tif 000017
【図１２】
0006641154.tif 000018
【図１３】
0006641154.tif 000019
【図１４】
0006641154.tif 000020
【図１５】
0006641154.tif 000021
【図１６】
0006641154.tif 000022
【図１７】
0006641154.tif 000023